(57)【要約】本発明は、体操および運動器具に関し、身体の筋肉を鍛錬して増強するための身体運動のために使用され得る。  本発明によって、トレーニング装置の耐久性、表面の弾性を向上させることができ、その構造の結果として、埋め込み型バルブおよびチャンバを変形させるための手段が設けられる、トーラス形密閉強化チャンバを含むトレーニング装置を変形できる可能性を広げることができる。強化チャンバは、気密性内部チャンバと、多層のテキスタイル強化材であって、気密性内部チャンバ周りのらせん線上に配置され、隣接層のテキスタイル強化材の巻線は巻線間の角度が３０°〜１５０°の間で反対方向に巻かれる、多層のテキスタイル強化材と、弾性のクロスで形成される外鞘とから成る。
2008508978.tif 000002
【特許請求の範囲】
【請求項１】
埋め込み型バルブとチャンバの変形を可能にする装置とが設けられた、加圧下にあるトーラス形密閉強化チャンバを有するジムフレキシタトレーニング装置において、
トーラス形密閉強化チャンバは、ガスを通さない弾性の材料で形成される密閉内部チャンバと、密閉内部チャンバ周りのらせん線上に位置する、多層のテキスタイル強化材とから成り、
隣接層のテキスタイル強化材の巻線は巻線間の角度が３０°と１５０°との間で反対方向に巻かれ、外殻が弾性のファブリックまたは多孔性材料で形成され、追加のリング形テキスタイルガスケットは密閉内部チャンバとトーラスの内側のテキスタイル強化材との間に設置され、チャンバを変形できる装置はベルトリングおよび調節可能なバックルを備えるベルトから成ることを特徴とするジムフレキシタトレーニング装置。
【請求項２】
さらに、弾性の長方形のパッド一式であって、それぞれの長さがトーラス形チャンバ断面の円周長以下であり、端面にファスナを備えるパッド一式を備えることを特徴とする請求項１記載のトレーニング装置。
【請求項３】
前記ベルトリングは、トーラス形チャンバ断面の６〜１５倍の直径の範囲内の円周長と、少なくとも５０ｋｇの最大の引張り強度とを有することを特徴とする請求項１記載のトレーニング装置。
【請求項４】
調節可能なファスナを備える前記ベルトは、少なくともトーラス形チャンバの外径の長さと、少なくとも５０ｋｇの最大の引張り強度とを有することを特徴とする請求項１記載のトレーニング装置。
【発明の詳細な説明】
【発明の詳細な説明】
【０００１】
本発明は、スポーツトレーニング装置ならびに体操および運動器具に関し、スポーツ競技実行用として、および娯楽用として、同時にマッサージを行いながら、筋肉を鍛錬し強化するための身体トレーニングのために使用することができる。
【０００２】
拡張式フープは、降下圧力調整バルブを備えるトーラス形密閉チャンバであって、弾性強化材料で形成され、３気圧に耐え得るトーラス形密閉チャンバと、トレーニング装置の形状を変えることが可能な手段であるベルトとを含んでおり、公知である（国際出願ＰＣＴ／ＫＺ０２３／００００６、ｃｌ．  Ａ６１Ｂ  １９／００、国際公開第０２／１０２４６８号パンフレット）。
【０００３】
強化材料で形成される公知の装置は、強度が充分ではなく、これは、弾性材料とアーマチャとの密着が不充分であることと関係しており、材料の物理的機械的特性の差異に依る。チャンバ内部で８〜１０気圧の範囲の圧力と、交互に与える負荷との影響を受けると、チャンバの内壁面に欠陥が生じ、強化層へ空気が侵入し、ノイズを伴って装置の外部部品が破損する可能性があり、怪我に至ることも考えられる。この装置の欠点の１つは、不充分な弾性であり、補強された強化材と、表面の高い剛性と、機能的能力を低下させる製品の可能性のある形状の限定とに関係している。
【０００４】
本発明の主目的は、装置の機能的特性を拡張し、操作安全性を増大させ、使いやすさを向上させることである。
【０００５】
本発明の技術的結果は、トレーニング装置の耐久性の向上、表面の弾性、および形状変化に関する向上に帰着する。
【０００６】
この技術的結果は、多目的のジムフレキシタ（ＧＹＭＦＬＥＸＴＯＲ）トレーニング装置の構造設計案で達成され、該装置は、加圧型トーラス形密閉強化チャンバを含み、埋め込み型バルブおよびチャンバを変形させるための手段を備える。トーラス形密閉強化チャンバは、弾性の気密性材料で形成される気密性内部チャンバと、多層のテキスタイル強化材であって、気密性内部チャンバ周りのらせん線に沿って配置され、隣接層のテキスタイル強化材の巻線は巻線間の角度が３０°〜１５０°の間で反対方向に巻かれる、多層のテキスタイル強化材と、弾性のテキスタイル材料または弾性の多孔性材料で形成される外鞘とから成る。追加のリング形テキスタイルガスケットは、気密性内部チャンバとトーラス表面の内側のテキスタイル強化材との間に位置し、チャンバを変形させる手段は、ベルトリングおよび調節可能なバックルを備えるベルトから成る。
【０００７】
テキスタイル強化材は、テキスタイルヤーン、ファブリックリボン、テープまたはクロスで形成されると規定する。ベルトリングは、トーラス形チャンバ断面の６〜１５倍の直径の範囲内の円周長を有し、調節可能なバックルを備えるベルトは、少なくともトーラス形チャンバの外径の長さを有する。ベルトリングおよびベルトの最大の引張り強度は、少なくとも５０ｋｇであるべきである。さらに、このトレーニング装置は、弾性の長方形のパッドであって、トーラス形チャンバ断面の円周長以下であり、端面にファスナを備えるパッドを備える。
【０００８】
気密性内部チャンバ、テキスタイル強化材の非気密層および非気密性外鞘で形成されるトレーニング装置の構造によって、その操作安全性は増大する。なぜなら、内殻に欠陥がある場合、空気は、ユーザにダメージを与えることなく、強化材の層および外鞘を通り抜けるからである。さらに、空気漏れが顕著でない場合、トレーニング装置は、埋め込み型バルブを通して定期的に膨張させるという条件で、使用され得る。
【０００９】
トレーニング装置の使用時は、何度も屈曲にさらされる。別の層と反対方向に巻かれる巻線の強化材の配置は、本装置の変形時の残存メモリを軽減し、初期状態に戻す一助となる。強化材層の数は少なくとも２つであり、層の数の上限は、強化材が形成される材料の耐久性、厚みおよび密度によって決定される。巻線間の角度は３０°〜１５０°の範囲にあって、本装置の変形を最小限にするように実験的に決定される。弾性のテキスタイル材料または弾性の多孔性材料で形成される外鞘は、ユーザの身体に与える本装置の機械的衝撃を和らげ、アーマチャ層を覆い、製造中に装飾され得、運動中の明るい雰囲気を醸し出すのに重要である。
【００１０】
トレーニング装置を変形させるために設計された装置は、装置を長時間屈曲したままにさせるが、テキスタイルアーマチャの不均一な伸縮による変形を促進し、装置のトーラス形を変形させ得る。そのような変形を避けるために、装置を設計する際に、リング形をしている頑丈なテキスタイルライニングであって、気密性内部チャンバとトーラス表面の内側のテキスタイルアーマチャとの間に置かれるテキスタイルライニングの形式で、さらなる補強が規定される。
【００１１】
チャンバを変形できる手段は、頑丈なテキスタイルテープまたは革で形成され得るベルトリングおよび調節可能なバックルを備えるベルトである。これら装置を活用して、本装置の初めのトーラス形は、８字形、楕円形、鞍形、短い鞍形、半鞍形、西洋ナシ形、弓形、三日月形、半円形または眼鏡形等のように変形させ得る。そのような形状をなし得る本装置の使用によって、本装置を活用してなされ得る運動を多様化させることができ、したがって様々な筋肉群を鍛えることができる。ベルトリングおよびベルトに影響を及ぼす著しい力は、それらの損傷を誘発するので、ベルトの引張り強度は少なくとも５０ｋｇはあるべきである。宣言された限定のリングサイズでは、かなりの力でトーラス形密閉強化チャンバにリングを着用することができ、簡単にその位置を変えることができるので、トレーニング中にチャンバから自発的にリングが飛んで行くことはないであろう。トレーニングで本装置を複雑な形にするため、少なくとも２つのベルトリングおよび少なくとも１つの調節可能なバックルを備えるベルトが必要である。
【００１２】
さらに、本トレーニング装置は、パッドを備え、該パッドは、弾性材料、たとえば弾性カバーに発泡ゴムで形成される。本パッドが長方形であり、ファスナがあることによって、トレーニング装置とユーザの身体部分との接触に関して、本パッドをトーラス形チャンバの表面に置くことができ、それによって血腫および擦り傷の形成を防ぎ、トレーニングをするためのより快適な状況を創出する。パッドの長さは、トーラス形チャンバ表面にぴったりはまるように設けられる。
【００１３】
宣言される装置は図に示される。
提出された図に示されるのは、トーラス形密閉強化チャンバ１、ベルトリング２、調節可能なバックル１０を備えるベルト３、ならびに、パッド４であって、弾性ガスケット１１、弾性カバー１２およびファスナ１３を備えるパッド４である。トーラス形密閉チャンバ１は、気密性内部チャンバ５と、環状に形成されるテキスタイルライニング６と、２つ以上の層７，８を含むテキスタイルアーマチャであって、らせん線上に位置し、層の巻線が互いに反対方向であるテキスタイルアーマチャと、外鞘９とを含む。場合によっては埋め込み型バルブは図示されない。
【００１４】
ベルトリングおよび調節可能なバックルを備えるベルトを活用して、密閉強化チャンバ１のトーラス形は、半円形（図５）、西洋ナシ形（図６）、短い鞍形（図７）、楕円形（図８）、鎌形（図９）、鞍形（図１０）、眼鏡形（図１１）、８字形（図１２）、半鞍形（図１３）および弓形（図１４）に変形させ得る。
【００１５】
たとえば、図１５は太ももの外側の筋肉を鍛える運動における装置の使用を示す。ユーザは、密閉強化チャンバ１であって、リング２を活用して弓形になったチャンバ１を曲げた両脚の上に置き、両脚を左右に開け、トレーニング装置の抵抗に耐える。パッド４は、トレーニング装置とユーザの両脚とが接する点に置かれる。
【００１６】
図１６は、上腕三頭筋および背中の筋肉を鍛える運動における装置の使用を示し、その目的のために本装置には鞍形が与えられる。
【００１７】
本装置の提案される形を使用して、２００以上の運動が開発され、人間の身体の全筋肉を実質的にトレーニングすることができる。
【図面の簡単な説明】
【００１８】
【図１】本装置のトーラス形チャンバの断面を示す。
【図２】ベルトリングを示す。
【図３】調節可能なバックルを備えるベルトを示す。
【図４】パッドを示す。
【図５】ベルトリングおよびベルトを活用してなし得る本装置の形を示す。
【図６】ベルトリングおよびベルトを活用してなし得る本装置の形を示す。
【図７】ベルトリングおよびベルトを活用してなし得る本装置の形を示す。
【図８】ベルトリングおよびベルトを活用してなし得る本装置の形を示す。
【図９】ベルトリングおよびベルトを活用してなし得る本装置の形を示す。
【図１０】ベルトリングおよびベルトを活用してなし得る本装置の形を示す。
【図１１】ベルトリングおよびベルトを活用してなし得る本装置の形を示す。
【図１２】ベルトリングおよびベルトを活用してなし得る本装置の形を示す。
【図１３】ベルトリングおよびベルトを活用してなし得る本装置の形を示す。
【図１４】ベルトリングおよびベルトを活用してなし得る本装置の形を示す。
【図１５】トレーニング装置を活用して実行し得る運動を示す。
【図１６】トレーニング装置を活用して実行し得る運動を示す。
【図１】
2008508978.tif 000003
【図２】
2008508978.tif 000004
【図３】
2008508978.tif 000005
【図４】
2008508978.tif 000006
【図５】
2008508978.tif 000007
【図６】
2008508978.tif 000008
【図７】
2008508978.tif 000009
【図８】
2008508978.tif 000010
【図９】
2008508978.tif 000011
【図１０】
2008508978.tif 000012
【図１１】
2008508978.tif 000013
【図１２】
2008508978.tif 000014
【図１３】
2008508978.tif 000015
【図１４】
2008508978.tif 000016
【図１５】
2008508978.tif 000017
【図１６】
2008508978.tif 000018
【手続補正書】
【提出日】平成19年4月9日(2007.4.9)
【手続補正１】
【補正対象書類名】特許請求の範囲
【補正対象項目名】全文
【補正方法】変更
【補正の内容】
【特許請求の範囲】
【請求項１】
埋め込み型バルブとチャンバの変形を可能にする装置とが設けられた、加圧下にあるトーラス形密閉強化チャンバを有するジムフレキシタトレーニング装置において、
トーラス形密閉外装チャンバは、ガスを通さない弾性の材料で形成される密閉内部チャンバと、密閉内部チャンバ周りのらせん線上に位置する、多層のテキスタイル強化材とから成り、
隣接層のテキスタイル強化材の巻線は巻線間の角度が３０°と１５０°との間で反対方向に巻かれ、外殻が弾性のファブリックまたは多孔性材料で形成され、チャンバを変形できる装置はベルトリングおよび調節可能なバックルを備えるベルトから成ることを特徴とするジムフレキシタトレーニング装置。
【請求項２】
追加のリング形テキスタイルガスケットは密閉内部チャンバとトーラスの内側のテキスタイル強化材との間に設置されることを特徴とする請求項１記載のトレーニング装置。
【請求項３】
さらに、弾性の長方形のパッド一式であって、それぞれの長さがトーラス形チャンバ断面の円周長以下であり、端面にファスナを備えるパッド一式を備えることを特徴とする請求項１記載のトレーニング装置。
【請求項４】
前記ベルトリングは、トーラス形チャンバ断面の６〜１５倍の直径の範囲内の円周長と、少なくとも５０ｋｇの最大の引張り強度とを有することを特徴とする請求項１記載のトレーニング装置。
【請求項５】
調節可能なファスナを備える前記ベルトは、少なくともトーラス形チャンバの外径の長さと、少なくとも５０ｋｇの最大の引張り強度とを有することを特徴とする請求項１記載のトレーニング装置。
【手続補正書】
【提出日】平成19年11月29日(2007.11.29)
【手続補正１】
【補正対象書類名】手続補正書
【補正対象項目名】手続補正２
【補正方法】削除
【補正の内容】
【国際調査報告】
2008508978.tif 000019
2008508978.tif 000020